(57)【要約】【課題】  決済に際して、ユーザのセキュリティを確保しつつ利便性の向上を図ること。【解決手段】  商品販売サーバが、ユーザ端末から送信された購入予定の商品情報と、ユーザのユーザ情報と、当該ユーザが決済に利用することを希望する業者の業者情報と、を受け付けて、商品情報及びユーザ情報を、業者情報にて特定される業者の業者サーバに送信する購入予定情報通知手段、を備えると共に、業者サーバが、ユーザの決済に必要な決済情報を含む個人情報を記憶する個人情報記憶手段と、商品販売サーバから送信された商品情報及びユーザ情報を受信する商品情報受信手段と、受信したユーザ情報にて特定されるユーザの個人情報記憶手段に記憶された決済情報と、受信した商品情報と、に基づいて決済処理を行う決済手段と、を備えた。【選択図】図１
2006243962.tif 000002
【特許請求の範囲】
【請求項１】
ユーザのユーザ端末にネットワークを介して接続され、所定の商品をネットワーク上において販売する商品販売サーバと、前記ユーザの決済情報が予め登録されている業者が管理する業者サーバと、を備えた商品代金決済システムであって、
前記商品販売サーバが、
前記ユーザ端末から送信された購入予定の商品情報と、前記ユーザのユーザ情報と、当該ユーザが決済に利用することを希望する業者の業者情報と、を受け付けて、前記商品情報及び前記ユーザ情報を、前記業者情報にて特定される業者の前記業者サーバに送信する購入予定情報通知手段、を備えると共に、
前記業者サーバが、
前記ユーザの決済に必要な決済情報を含む個人情報を記憶する個人情報記憶手段と、
前記商品販売サーバから送信された前記商品情報及び前記ユーザ情報を受信する商品情報受信手段と、
受信した前記ユーザ情報にて特定されるユーザの前記個人情報記憶手段に記憶された前記決済情報と、受信した前記商品情報と、に基づいて決済処理を行う決済手段と、
を備えたことを特徴とする商品代金決済システム。
【請求項２】
前記業者サーバが、
前記ユーザに対して提示される当該ユーザの購入確認を行うための表示情報が記憶される表示情報記憶手段と、
前記ユーザ情報にて特定されるユーザ用に前記商品情報にて特定される商品の情報を表示する前記表示情報を生成して前記表示情報記憶手段に記憶する表示情報生成手段と、
前記ユーザ端末からのアクセスに応じて前記表示情報を当該ユーザ端末に送信すると共に、この表示情報に対する購入の確認情報を前記ユーザ端末から受信する購入確認手段と、を備え、
前記決済手段が、前記ユーザ端末から購入を確認する旨の情報を受信した場合に前記決済処理を行う、
を備えたことを特徴とする請求項１記載の商品代金決済システム。
【請求項３】
前記表示情報生成手段にて生成される前記表示画面は、前記ユーザのみがアクセス可能な個人ウェブサイトのコンテンツである、ことを特徴とする請求項２記載の商品代金決済システム。
【請求項４】
前記表示画面は、前記ユーザによる複数の購入予定の商品情報を表示可能である、ことを特徴とする請求項２又は３記載の商品代金決済システム。
【請求項５】
前記表示画面は、異なる前記商品販売サーバにて販売される商品の商品情報を表示可能である、ことを特徴とする請求項４記載の商品代金決済システム。
【請求項６】
前記業者は、通信事業者である、ことを特徴とする請求項１，２，３，４又は５記載の商品代金決済システム。
【請求項７】
ユーザのユーザ端末と、前記ユーザの決済情報が予め登録されている業者が管理する業者サーバと、にネットワークを介して接続され、所定の商品をネットワーク上において販売する商品販売サーバであって、
前記ユーザ端末から送信された購入予定の商品情報と、前記ユーザのユーザ情報と、当該ユーザが決済に利用することを希望する業者の業者情報と、を受け付けて、前記商品情報及び前記ユーザ情報を、前記業者情報にて特定される業者の前記業者サーバに決済に利用されるよう送信する購入予定情報通知手段、を備えた、
ことを特徴とする商品販売サーバ。
【請求項８】
ユーザのユーザ端末と、所定の商品をネットワーク上において販売する商品販売サーバと、にネットワークを介して接続され、前記ユーザの決済情報が予め登録されている業者が管理する業者サーバであって、
前記ユーザの決済に必要な決済情報を含む個人情報を記憶する個人情報記憶手段と、
前記ユーザ端末から前記商品販売サーバに送信された購入予定の商品情報と、前記ユーザのユーザ情報と、当該ユーザが決済に利用することを希望する業者の業者情報と、のうち、前記商品販売サーバから前記業者情報にて特定される業者の前記業者サーバに送信された前記商品情報及び前記ユーザ情報を受信する商品情報受信手段と、
受信した前記ユーザ情報にて特定されるユーザの前記個人情報記憶手段に記憶された前記決済情報と、受信した前記商品情報と、に基づいて決済処理を行う決済手段と、
を備えたことを特徴とする業者サーバ。
【請求項９】
前記ユーザに対して提示される当該ユーザの購入確認を行うための表示情報が記憶される表示情報記憶手段と、
前記ユーザ情報にて特定されるユーザ用に前記商品情報にて特定される商品の情報を表示する前記表示情報を生成して前記表示情報記憶手段に記憶する表示情報生成手段と、
前記ユーザ端末からのアクセスに応じて前記表示情報を当該ユーザ端末に送信すると共に、この表示情報に対する購入の確認情報を前記ユーザ端末から受信する購入確認手段と、を備え、
前記決済手段が、前記ユーザ端末から購入を確認する旨の情報を受信した場合に前記決済処理を行う、
を備えたことを特徴とする請求項８記載の業者サーバ。
【請求項１０】
ユーザのユーザ端末と、前記ユーザの決済情報が予め登録されている業者が管理する業者サーバと、にネットワークを介して接続され、所定の商品をネットワーク上において販売する商品販売サーバに、
前記ユーザ端末から送信された購入予定の商品情報と、前記ユーザのユーザ情報と、当該ユーザが決済に利用することを希望する業者の業者情報と、を受け付けて、前記商品情報及び前記ユーザ情報を、前記業者情報にて特定される業者の前記業者サーバに決済に利用されるよう送信する購入予定情報通知手段、
を実現するためのプログラム。
【請求項１１】
ユーザのユーザ端末と、所定の商品をネットワーク上において販売する商品販売サーバと、にネットワークを介して接続され、前記ユーザの決済情報が予め登録されている業者が管理する業者サーバに、
前記ユーザ端末から前記商品販売サーバに送信された購入予定の商品情報と、前記ユーザのユーザ情報と、当該ユーザが決済に利用することを希望する業者の業者情報と、のうち、前記商品販売サーバから前記業者情報にて特定される業者の前記業者サーバに送信された前記商品情報及び前記ユーザ情報を受信する商品情報受信手段と、
受信した前記ユーザ情報にて特定されるユーザの予め記憶された決済情報と、受信した前記商品情報と、に基づいて決済処理を行う決済手段と、
を実現するためのプログラム。
【請求項１２】
前記請求項１１記載のプログラムは、
前記業者サーバに、さらに、
前記ユーザ情報にて特定されるユーザ用に前記商品情報にて特定される商品の情報を表示する前記表示情報を生成して表示情報記憶手段に記憶する表示情報生成手段と、
前記ユーザ端末からのアクセスに応じて前記表示情報を当該ユーザ端末に送信すると共に、この表示情報に対する購入の確認情報を前記ユーザ端末から受信する購入確認手段と、
前記ユーザ端末から購入を確認する旨の情報を受信した場合に前記決済処理を行う前記決済手段と、
を実現するための請求項１１記載のプログラム。
【請求項１３】
ユーザのユーザ端末にネットワークを介して接続され、所定の商品をネットワーク上において販売する商品販売サーバと、前記ユーザの決済情報が予め登録されている業者が管理する業者サーバと、を用いた商品代金決済方法であって、
前記商品販売サーバが、
前記ユーザ端末から送信された購入予定の商品情報と、前記ユーザのユーザ情報と、当該ユーザが決済に利用することを希望する業者の業者情報と、を受け付けて、前記商品情報及び前記ユーザ情報を、前記業者情報にて特定される業者の前記業者サーバに送信し、
前記業者サーバが、
前記商品販売サーバから送信された前記商品情報及び前記ユーザ情報を受信して、
当該受信した前記ユーザ情報にて特定されるユーザの予め記憶された決済情報と、受信した前記商品情報と、に基づいて決済処理を行う、
ことを特徴とする商品代金決済方法。
【請求項１４】
前記業者サーバが、
前記決済処理を行う前に、前記ユーザ情報にて特定されるユーザ用に前記商品情報にて特定される商品の情報を表示する前記表示情報を生成して表示情報記憶手段に記憶し、
前記ユーザ端末からのアクセスに応じて前記表示情報を当該ユーザ端末に送信すると共に、この表示情報に対する購入の確認情報を前記ユーザ端末から受信し、
前記ユーザ端末から購入を確認する旨の情報を受信した場合に前記決済処理を行う、
ことを特徴とする請求項１３記載の商品代金決済方法。
【発明の詳細な説明】
【技術分野】
【０００１】
本発明は、商品代金決済システムにかかり、特に、ネットワークを介して商品を購入する際における商品代金決済システムに関する。
【背景技術】
【０００２】
現在、インターネットに代表されるネットワーク上で販売されている商品の購入代金の支払方法には様々な方法が有る。例えば、ネットワーク上のサーバにおいて、各種クレジットカードで支払ったり、プリペイド式電子マネーを入力する方法がある。あるいは、現金書留や郵便小為替等による直接的間接的な方法で現金を送付する方法が、支払方法として採られている。
【０００３】
そして、上述した支払い方法には、それぞれ固有の問題点を有する。例えば、クレジットカードを用いる場合には、ネットワーク上のサーバにカード番号を直接入力しなければならず、セキュリティ上の問題が生じうる。具体的には、ユーザがあるコンテンツ販売者のサイトにて商品の購入を入力すると、かかるコンテンツ販売者の端末には、商品明細と共にユーザ情報が保管されており、これらのユーザ情報には、クレジット番号やユーザの住所、氏名、電話番号等の個人情報が含まれるため、個人情報の漏洩が問題となる。また、プリペイド方式においては、そのシリアル番号を入力する場合には、上記同様にセキュリティ上の問題が生じ、さらには、支払いの都度、不足分のプリペイドカード等を購入する必要が生じ、手間が生じうる。また、現金書留などでは、商品購入の都度、送金手続が必要となるため、支払い方法が煩わしいという問題が生じうる。
【０００４】
このような問題点から、ネットワーク上における商品の購入の際に、セキュリティの確保を図るシステムが提案されている。例えば、特許文献１には、ユーザがネット店舗において購入した際に、その決済をユーザが利用している通信事業者を介して行う、というシステムが開示されている。
【０００５】
【特許文献１】特開２００２−２９８０５４号公報
【発明の開示】
【発明が解決しようとする課題】
【０００６】
しかしながら、上記従来例においては、ユーザが契約している携帯電話の通信事業者を経由して支払いを行う構成となっているが、ユーザが使用する通信事業者を自由に選べず、利便性に欠ける、という問題が生じうる。さらに、上記従来例では、通信事業者は、ネット店舗にて購入処理を行ったユーザ本人であるか否かを確認するだけであって、購入内容などの注文の正当性をユーザ本人が確認できず、第三者にて不正な購入がなされるという不都合も生じうる。
【０００７】
このため、本発明では、ネットワークを介して商品を購入して決済を行う際に、ユーザのセキュリティを確保しつつ、利便性の向上を図る、ことをその目的とする。
【課題を解決するための手段】
【０００８】
そこで、本発明の一形態である商品代金決済システムでは、
ユーザのユーザ端末にネットワークを介して接続され、所定の商品をネットワーク上において販売する商品販売サーバと、ユーザの決済情報が予め登録されている業者が管理する業者サーバと、を備えた商品代金決済システムであって、
商品販売サーバが、
ユーザ端末から送信された購入予定の商品情報と、ユーザのユーザ情報と、当該ユーザが決済に利用することを希望する業者の業者情報と、を受け付けて、商品情報及びユーザ情報を、業者情報にて特定される業者の業者サーバに送信する購入予定情報通知手段、を備えると共に、
業者サーバが、
ユーザの決済に必要な決済情報を含む個人情報を記憶する個人情報記憶手段と、
商品販売サーバから送信された商品情報及びユーザ情報を受信する商品情報受信手段と、
受信したユーザ情報にて特定されるユーザの個人情報記憶手段に記憶された決済情報と、受信した商品情報と、に基づいて決済処理を行う決済手段と、
を備えたことを特徴としている。
【０００９】
上記発明によると、まず、ユーザは、商品販売サーバにアクセスして、購入を希望する商品情報と、自己のユーザ情報と、決済を希望する業者の業者情報と、を商品販売サーバに送信する。これを受信した商品販売サーバは、業者に対応する業者サーバに、商品情報とユーザ情報とを送信する。すると、業者サーバは、ユーザ情報にて特定されるユーザの決済情報を読み出すと共に、受信した商品情報に基づいて、決済処理を行う。従って、ユーザは、自己が契約しており、決済情報が予め登録されている業者にて、他の業者にて購入した商品の決済を行うことができる。このとき、商品販売サーバにはユーザの決済に関する情報を通知する必要が無いため、ネットワークを介した商品購入時におけるセキュリティの向上を図ることができる。また、必要に応じて決済を行う業者を選択することができ、ユーザの利便性の向上を図ることができる。
【００１０】
また、業者サーバが、
ユーザに対して提示される当該ユーザの購入確認を行うための表示情報が記憶される表示情報記憶手段と、
ユーザ情報にて特定されるユーザ用に商品情報にて特定される商品の情報を表示する表示情報を生成して表示情報記憶手段に記憶する表示情報生成手段と、
ユーザ端末からのアクセスに応じて表示情報を当該ユーザ端末に送信すると共に、この表示情報に対する購入の確認情報をユーザ端末から受信する購入確認手段と、を備え、
決済手段が、ユーザ端末から購入を確認する旨の情報を受信した場合に決済処理を行う、
を備えたことを特徴としている。
【００１１】
これにより、業者サーバは、決済処理を行う前に、ユーザ情報にて特定されるユーザに対する購入予定の商品情報を表示する表示画面を生成し、ユーザ端末にこれを送信して表示する。そして、ユーザは実際に購入する場合には、購入する旨の確認情報を業者サーバに送信し、これを業者サーバが受信すると、予め記憶されている決済情報を用いて、決済処理を行う。従って、ユーザに対して購入の意思を確認することができ、よりセキュリティの向上を図ることができる。
【００１２】
また、表示情報生成手段にて生成される表示画面は、ユーザのみがアクセス可能な個人ウェブサイトのコンテンツである、ことを特徴としている。これにより、ユーザは個人ウェブサイトにアクセスすることで、自己の購入予定の商品を確認することができるため、商品購入時の利便性の向上を図ることができる。
【００１３】
また、表示画面は、ユーザによる複数の購入予定の商品情報を表示可能である、ことを特徴としている。このとき、表示画面は、異なる商品販売サーバにて販売される商品の商品情報を表示可能である、ことを特徴としている。これにより、予め購入予約をしておき、その後、複数の商品を表示して比較したあとで実際に購入するか否かを決定することができるため、さらなる利便性の向上を図ることができる。
【００１４】
また、業者は、通信事業者である、ことを特徴としている。これにより、ユーザは通信料の支払いのために通信事業者に決済情報を登録している可能性が高いことから、決済を確実に行うことができる。
【００１５】
また、本発明の他の形態である商品販売サーバは、
ユーザのユーザ端末と、前記ユーザの決済情報が予め登録されている業者が管理する業者サーバと、にネットワークを介して接続され、所定の商品をネットワーク上において販売する商品販売サーバであって、
ユーザ端末から送信された購入予定の商品情報と、ユーザのユーザ情報と、当該ユーザが決済に利用することを希望する業者の業者情報と、を受け付けて、商品情報及びユーザ情報を、業者情報にて特定される業者の業者サーバに決済に利用されるよう送信する購入予定情報通知手段、を備えた、
ことを特徴としている。
【００１６】
また、本発明の他の形態である業者サーバは、
ユーザのユーザ端末と、所定の商品をネットワーク上において販売する商品販売サーバと、にネットワークを介して接続され、ユーザの決済情報が予め登録されている業者が管理する業者サーバであって、
ユーザの決済に必要な決済情報を含む個人情報を記憶する個人情報記憶手段と、
ユーザ端末から商品販売サーバに送信された購入予定の商品情報と、ユーザのユーザ情報と、当該ユーザが決済に利用することを希望する業者の業者情報と、のうち、商品販売サーバから業者情報にて特定される業者の業者サーバに送信された商品情報及びユーザ情報を受信する商品情報受信手段と、
受信したユーザ情報にて特定されるユーザの個人情報記憶手段に記憶された決済情報と、受信した商品情報と、に基づいて決済処理を行う決済手段と、
を備えたことを特徴としている。
【００１７】
そして、上記業者サーバは、
ユーザに対して提示される当該ユーザの購入確認を行うための表示情報が記憶される表示情報記憶手段と、
ユーザ情報にて特定されるユーザ用に商品情報にて特定される商品の情報を表示する表示情報を生成して表示情報記憶手段に記憶する表示情報生成手段と、
ユーザ端末からのアクセスに応じて表示情報を当該ユーザ端末に送信すると共に、この表示情報に対する購入の確認情報をユーザ端末から受信する購入確認手段と、を備え、
決済手段が、ユーザ端末から購入を確認する旨の情報を受信した場合に決済処理を行う、
を備えたことを特徴としている。
【００１８】
また、本発明の他の形態であるプログラムは、上記商品販売サーバや、業者サーバに、上述した各手段を実現することを特徴としている。
【００１９】
さらに、本発明の他の形態である商品代金決済方法は、
ユーザのユーザ端末にネットワークを介して接続され、所定の商品をネットワーク上において販売する商品販売サーバと、ユーザの決済情報が予め登録されている業者が管理する業者サーバと、を用いた商品代金決済方法であって、
商品販売サーバが、
ユーザ端末から送信された購入予定の商品情報と、ユーザのユーザ情報と、当該ユーザが決済に利用することを希望する業者の業者情報と、を受け付けて、商品情報及びユーザ情報を、業者情報にて特定される業者の前記業者サーバに送信し、
業者サーバが、
商品販売サーバから送信された商品情報及び前記ユーザ情報を受信して、
当該受信したユーザ情報にて特定されるユーザの予め記憶された決済情報と、受信した商品情報と、に基づいて決済処理を行う、
ことを特徴としている。
【００２０】
また、さらに業者サーバが、
決済処理を行う前に、ユーザ情報にて特定されるユーザ用に商品情報にて特定される商品の情報を表示する表示情報を生成して表示情報記憶手段に記憶し、
ユーザ端末からのアクセスに応じて表示情報を当該ユーザ端末に送信すると共に、この表示情報に対する購入の確認情報を前記ユーザ端末から受信し、
ユーザ端末から購入を確認する旨の情報を受信した場合に決済処理を行う、
ことを特徴としている。
【００２１】
上記構成の商品販売サーバ、業者サーバ、プログラム、商品代金決済方法であっても、上述した商品代金決済システムと同様に作用するため、上記本発明の目的を達成することができる。
【発明の効果】
【００２２】
本発明は、以上のように構成され機能するので、これによると、ユーザは、自己が契約しており、決済情報が予め登録されている業者にて、他の業者にて購入した商品の決済を行うことができるため、商品販売サーバにはユーザの決済に関する情報を通知する必要が無く、ネットワークを介した商品購入時におけるセキュリティの向上を図ることができ、さらに、必要に応じて決済を行う業者を選択することができ、ユーザの利便性の向上を図ることができる、という従来にない優れた効果を有する。
【発明を実施するための最良の形態】
【００２３】
本発明は、ユーザがネットワーク上において商品を購入して決済を行う際に、個人情報を送信することを抑制することに特徴を有する。以下、実施例にて、詳細な構成を説明する。
【実施例１】
【００２４】
本発明の第１の実施例を、図１乃至図１０を参照して説明する。図１乃至３は、本発明の構成を示す概略図である。図４は、ユーザ端末における表示画面の一例を示す図である。図５乃至図１０は、動作を示す図である。
【００２５】
［構成］
図１に示すように、商品代金決済システムは、インターネット１０に接続された、プログラム制御により動作するプロバイダサーバ１００と、このプロバイダサーバのインターネット上の決済口座であるプロバイダ決済口座１４１と、プロバイダサーバ１００経由でインターネット１０にアクセスするユーザ端末２０と、インターネット１０上で商品の販売を行っているコンテンツ販売者サーバ３００と、コンテンツ販売者のインターネット上の決済口座であるコンテンツ販売者口座３４１、および、ユーザのインターネット上の決済口座であるユーザ口座２４１と、を備えている。なお、上記各決済口座１４１，２４１，３４１は、所定のコンピュータ内に構築されており、当該各決済口座１４１，２４１，３４１が構築されているコンピュータを意味する。以下、各構成について詳述する。
【００２６】
なお、以下では、コンテンツ販売者サーバ３００のことを、単に、コンテンツ販売者と呼ぶ場合もある。また、同様に、プロバイダサーバ１００のことをプロバイダと、ユーザ端末２０のことをユーザと呼ぶ場合もある。
【００２７】
＜プロバイダサーバ＞
プロバイダサーバ１００（業者サーバ）は、ユーザが契約している通信事業者であるプロバイダが管理するサーバコンピュータである。但し、プロバイダサーバ１００は、後述するように、予めユーザの決済情報を有している業者のサーバであればよい。例えば、クレジット業者のサーバであってもよい。
【００２８】
そして、プロバイダサーバ１００は、図２に示すように、プログラム制御により動作する中央処理装置（ＣＰＵ）である情報処理部（データ処理装置）１００１と、メインメモリ（ＭＭ）、および、ハードディスク（ＨＤ）装置等の補助記憶装置や、画像処理装置と入出力制御装置等を有し、また、ユーザ端末２０とのアクセス回線を制御する通信回線対応部１００２と、を備えている。これにより、必要に応じてディスプレイ装置から情報を外部に表示したり、通信回線対応部１００２を経由してユーザ端末２０やコンテンツ販売者サーバ３００と通信を行うことが出来る。
【００２９】
また、中央処理装置（ＣＰＵ）である情報処理部１００１には、適時必要な処理プログラムが補助記憶装置からメインメモリ（ＭＭ）に読み出されて実行されることにより、図２に示すように、ユーザ個人情報管理手段１０１と、購入者ＩＤ管理手段１０２と、ユーザＨＰ（ホームページ、以降の説明ではＨＰと省略）の商品明細管理手段１０３と、コンテンツ販売者情報管理手段１０４と、ユーザ購入商品代金決済手段１０５と、ユーザ購入商品代金回収手段１０６と、いった各手段が構築されている。これら各手段は、以下の機能を有する。
【００３０】
ユーザ個人情報管理手段１０１は、ユーザ端末２０が新規接続のアクセスをする度に、図１に示すアカウント管理テーブル１１０を参照して、アクセスに使われたＩＤやパスワードを含むアカウント情報を、アカウント管理テーブル１１０に登録済みのアカウント１１１、および、ユーザ情報１１２と比較して事前に登録してある有効な正規のユーザであるかどうかを確認する。ここで、図１に示すアカウント管理テーブル１１０は、補助記憶装置のハードディスク（ＨＤ）にあり、必要に応じてメインメモリ（ＭＭ）上に読み出されて中央処理装置（ＣＰＵ）によって参照される。
【００３１】
購入者ＩＤ管理手段１０２は、ユーザの新規登録の際にＩＤやパスワードと一緒にユーザから登録される購入者ＩＤが、既に使用されている他のユーザの購入者ＩＤと同一で重複していないかどうかを、アカウント管理テーブル１１０に登録済みの購入者ＩＤ１１３と比較して２重登録されていない事を確認する。
【００３２】
ユーザＨＰの商品明細管理手段１０３（商品情報受信手段、表示情報生成手段、購入確認手段）は、図１のユーザ端末２０のユーザが、インターネット１０上のコンテンツ販売者サーバ３００から商品を購入する際に、コンテンツ販売者サーバ３００から送付されてくる、ユーザが予約した商品の商品明細３１０（商品情報）、購入者ＩＤ３２０（ユーザ情報）、プロバイダ情報３３０（業者情報）を受信し、これらの情報から、ユーザ個人のユーザＨＰ１２０に掲載する商品明細１２１を生成したり、図４に示す商品明細の詳細な商品管理情報を管理する。ここで、図１に示すユーザＨＰ１２０（表示情報）も補助記憶装置のハードディスク（ＨＤ）にあり、必要に応じてメインメモリ（ＭＭ）上に読み出されて中央処理装置（ＣＰＵ）により商品明細情報の加工を施された後、ハードディスクに保存される。
【００３３】
コンテンツ販売者情報管理手段１０４は、商品明細管理手段１０３がユーザＨＰ内の商品明細１２１の情報を管理するのと並行して、コンテンツ販売者３００から送付されるコンテンツ販売者３００自身の情報について、虚偽の内容であったり悪質なコンテンツ販売者として事前に登録されていないかどうか、指定されたコンテンツ販売者口座３４１が正当な口座である事を該当する銀行に問い合わせ、コンテンツ販売者３００自身のトラブル履歴の有無やコンテンツ販売者としての信用確認を行い、結果をコンテンツ販売者情報１３０としてハードディスクに格納すると共に、必要のある場合には、商品明細管理手段１０３を介してユーザHP内の商品明細１２１上に表示してユーザに注意を促す。
【００３４】
ユーザ購入商品代金決済手段１０５（決済手段）は、図１のユーザ端末２０のユーザが、インターネット１０上のコンテンツ販売者サーバ３００から商品を購入する際に、ユーザに代わってコンテンツ販売者に商品代金を立替払いする時の決済方法を交渉したり、プロバイダ決済口座１４１を使用してコンテンツ販売者口座３４１に商品代金を振り込んで商品購入の決済を行う。
【００３５】
ユーザ購入商品代金回収手段１０６（決済手段）は、ユーザ購入商品代金決済手段１０５が先に立替払いした、ユーザがインターネット１０上のコンテンツ販売者から購入した商品の購入代金を回収する為に、決済の完了した購入者毎の購入額を明細と共に積算してハードディスクに格納し、プロバイダ使用料金の請求と一緒に商品購入金額の明細をユーザに請求して購入代金を回収する。
【００３６】
ここで、図３に、プロバイダサーバ１００に格納されているデータ構成の詳細を示す。アカウント管理テーブル１１０（個人情報記憶手段）は、アカウント１１１とユーザ情報１１２、および、購入者ＩＤ１１３に分類され、アカウント１１１は、ユーザのＩＤとパスワードが暗号化して記憶されている。ユーザ情報１１２には、ユーザの氏名、年齢、性別に住所、ユーザ個人HPのURLとメイルアドレスや電話番号、支払方法と銀行名や口座情報（決済情報）の個人情報が含まれる。ユーザＨＰ１２０の商品明細１２１はさらに、商品情報１２１１と購入情報１２１２で構成される。商品情報１２１１は、商品名と単価と販売者名を含み、購入情報１２１２は、指示（キャンセル、商品購入、購入取消、ダウンロード）、予約日と購入日と納入日と商品入手日、購入数量と合計価格が含まれる。コンテンツ販売者情報１３０は、販売者毎のコンテンツ販売者情報１３１で構成され、販売者名と住所、インターネット上のモール名やＨＰのＵＲＬ、連絡先のメイルアドレスや電話番号、取引先の銀行名と決済日や口座番号、決済方式と信用情報や注意事項が含まれる。
【００３７】
そして、ユーザ個人ＨＰ１２０の商品明細１２１の詳細を図４に示す。商品明細１２１は、商品情報１２１１と購入情報１２１２で構成される事は前述したが、図４に示す様に、それらは横方向に表した商品毎の１回の取引単位の商品情報として扱われる。
【００３８】
＜コンテンツ販売者サーバ＞
コンテンツ販売者サーバ３００は、所定の商品をインターネット１０上で販売するコンテンツ販売者が管理するサーバであり、商品販売サイトを開設している。そして、図２に示すように、プログラム制御により動作する情報処理部（データ処理装置）３００１と、インターネットを介してプロバイダサーバ１００と通信する為にインターネット回線を制御する通信回線対応部３００２と、を備えている。そして、コンテンツ販売者サーバ３００の情報処理部３００１には、所定のプログラムが組み込まれることにより、図２に示す予約情報管理手段３０１と、予約情報送付手段３０２と、販売商品送付手段３０３と、販売商品代金回収手段３０４と、が構築されている。これら各手段は、以下の機能を有する。
【００３９】
予約情報管理手段３０１は、図１のユーザ端末２０がインターネット１０を経由して、コンテンツ販売者３００が提供しているインターネット上で販売している商品を購入する際に、商品の購入に先立って、ユーザ２０自身の購入者ＩＤとユーザが加入しているプロバイダ情報（プロバイダ名、URL、情報送付先）の提示を受けて商品の販売予約管理を行う。そして、該当商品の販売が完了したり、購入がキャンセルされるとユーザによる該当商品の予約状態を解除する。
【００４０】
予約情報送付手段３０２（購入予定情報通知手段）は、予約情報管理手段３０１によって商品の販売予約が完了した後に、購入予約したユーザの加入しているプロバイダサーバ１００宛に、予約該当商品の商品明細３１０と予約者自身の購入者ＩＤ３２０、および、コンテンツ販売者自身のコンテンツ販売者情報１３０を送付する。また、商品の納入方法や商品代金の決済方法をプロバイダと交渉確認して販売を行う。
【００４１】
販売商品送付手段３０３は、販売予約されていた商品の決済完了を確認すると、予約情報送付手段３０２によってプロバイダサーバ１００との間で決められた納入方法に従って、販売した商品をプロバイダ１００宛に送付して販売を完了させる。
【００４２】
販売商品代金回収手段３０４は、予約情報送付手段３０２によってプロバイダサーバ１００との間で確認された、商品代金の決済方法に従い、図１のプロバイダ決済口座１４１からコンテンツ販売者口座３４１への振込みを監視して該当商品の決済完了を確認する。
【００４３】
なお、図３に、コンテンツ販売者サーバ３００に格納されているデータ構成の詳細を示す。この図において、コンテンツ販売者サーバ３００の商品明細３１０は、さらに、商品情報３１１と販売情報３１２に分類される。商品情報３１１は、該当商品の分類や商品名と単価を表し、販売情報３１２には、該当商品の予約日と販売日（購入日に一致）と納入日（商品受領日）、販売数量と販売合計価格が含まれる。また、購入者ＩＤ３２０には販売毎商品毎に購入者ＩＤ３２１が記録される。また、プロバイダ情報３３０も、プロバイダ名３３１と決済情報３３２に分類される。プロバイダ名３３１は、プロバイダ名称とインターネット上での住所となるプロバイダのHP_URL（Uniform Resource Locator）で構成され、決済情報３３２には、プロバイダの指定銀行名、口座番号や決済日、決済方式が含まれる。
【００４４】
［動作］
次に、図５の説明図と、図６のシーケンス図、および、図８乃至図１０のフローチャートを参照して、本実施例における動作を説明する。
【００４５】
先ず、図５を参照して全体的な動作の説明をする。ユーザ２０はプロバイダサーバ１００を介してインターネット１０に接続されており、コンテンツ販売者サーバ３００の販売している商品を購入する場合を説明する。
【００４６】
図５において、ユーザ２０は購入を希望する商品をコンテンツ販売者３００で見つけると、購入予約（１）を行う。購入予約（１）においては、ユーザの加入しているプロバイダ名と購入者ＩＤを提示して購入希望商品を予約する。次に、コンテンツ販売者サーバ３００は、購入予約のあった商品に関する予約明細（２）を購入者ＩＤと一緒に予約したユーザの加入しているプロバイダサーバ１００に通知する。
【００４７】
プロバイダサーバ１００では、予約通知された購入者ＩＤの該当ユーザのユーザＨＰ１２０の商品明細１２１に、図４で説明した取引単位の情報１２１０として登録する。ユーザ２０は購入予約の完了後は、各自のＨＰの商品明細１２１を監視して、自分が予約した商品が登録されるのを待ち、登録を確認（３）すると、図４に表した商品明細１２１の購入情報１２１２の中の、指示の項目から商品購入ボタンを押下して購入手続きする。
【００４８】
そして、商品購入ボタンが押されて購入手続きが指示されると、プロバイダサーバ１００とコンテンツ販売者３００との間で決済手続き（４）が開始され、プロバイダ決済口座１４１からコンテンツ販売者口座３４１への決済引落し（５）が行われる事で決済が完了する。
【００４９】
その後、決済が完了して、コンテンツ販売者３００からプロバイダ１００宛に、商品送付（６）がなされると、ユーザＨＰ１２０の商品明細１２１の購入情報１２１２には商品納入日が表示される。ユーザ２０は、各自のＨＰの商品明細１２１の中に商品納入日を見付けると、図４に示すダウンロードボタンを押下して、商品をダウンロードして商品入手（７）する（商品をダウンロードで入手する場合）。
【００５０】
プロバイダサーバ１００は、商品のダウンロード完了を確認すると、後でプロバイダ利用料金の請求と一緒に該当商品の購入代金をユーザに請求する為に、ユーザＨＰの商品明細の中の該当商品の商品入手日として表示し、実際に利用料金を請求する時に、プロバイダ料金請求（８）の時にユーザの決済情報を用いて商品購入代金を一緒に請求して、ユーザ口座２４１からプロバイダ料金徴収（９）と同時に商品代金を回収して完了する。
【００５１】
以上、図５を参照して説明した取引の様子を、時間軸で表したものが、図６のシーケンス図である。この図６は、図５の動作説明を、そのまま時間軸上で説明したものであり、前述の図５の動作内容の説明と全くの同一内容となるが下記に示す。
【００５２】
図６において、ユーザ２０は購入を希望する商品をコンテンツ販売者３００で見つけると、購入予約（１）を行う。購入予約（１）においては、ユーザの加入しているプロバイダ名と購入者ＩＤを提示して購入希望商品を予約する。
【００５３】
次に、コンテンツ販売者３００は、購入予約のあった商品に関する予約明細（２）を購入者ＩＤと一緒に予約したユーザの加入しているプロバイダ１００に通知する。プロバイダ１００では、予約通知された購入者ＩＤ該当ユーザのユーザＨＰ１２０の商品明細１２１に図４で説明した取引単位の情報１２１０として登録する。
【００５４】
ユーザ２０は購入予約の完了後は、各自のＨＰの商品明細１２１を監視して自分が予約した商品が登録されるのを待ち、登録を確認（３）すると図４に表した商品明細１２１の購入情報１２１２の中の、指示の項目から商品購入ボタンを押下して購入手続きする。
【００５５】
商品購入ボタンが押されて購入手続きが指示されると、プロバイダ１００とコンテンツ販売者３００との間で決済手続き（４）が開始され、プロバイダ決済口座１４１からコンテンツ販売者口座３４１への決済引落し（５）が行われる事で決済が完了する。
【００５６】
決済が完了して、コンテンツ販売者３００からプロバイダ１００宛に、商品送付（６）がなされると、ユーザＨＰ１２０の商品明細１２１の購入情報１２１２には商品納入日が表示される。
【００５７】
ユーザ２０は、各自のＨＰの商品明細１２１の中に商品納入日を見付けると、図４に示すダウンロードボタンを押下して商品をダウンロードして商品入手（７）する（商品をダウンロードで入手する場合）。プロバイダ１００は、商品のダウンロード完了を確認すると、後でプロバイダ利用料金の請求と一緒に該当商品の購入代金をユーザに請求する為に、ユーザＨＰの商品明細の中の該当商品の商品入手日として表示し、実際に利用料金を請求する時に、プロバイダ料金請求（８）の時に商品購入代金を一緒に請求して、ユーザ口座２４１からプロバイダ料金徴収（９）と同時に商品代金を回収して完了する。
【００５８】
次に、図７乃至図１０のフローチャートを参照して、実施例１の動作について詳細に説明する。
【００５９】
まず、上述したコンテンツ販売者が、２者いることとし、コンテンツ販売者Ａが管理するコンテンツ販売者サーバＡ（３００Ａ）と、コンテンツ販売者Ｂが管理するコンテンツ販売者サーバＢ（３００Ｂ）とが、ネットワークＮに接続されている。
【００６０】
そして、コンテンツ販売者Ａは、商品をＨＰに掲載する（ステップＶＡ１）。また、コンテンツ販売者Ｂも商品をＨＰに掲載する（ステップＶＢ１）。そして、それぞれのコンテンツ販売者は、販売している商品に予約が有るのかを確認し（ステップＶＡ２）、予約が無ければ予約の確認を常時監視し（ステップＶＡ２にて否定判断）、予約が有る時には（ステップＶＡ２にて肯定判断）、次のステップＶＡ３に進む。
【００６１】
ユーザは、本実施例の場合には、先ず、コンテンツ販売者ＢのＨＰ掲載商品を閲覧して（ステップＵ１）、購入したい商品の有無を確認し（ステップＵ２）、購入したい商品が有る時には（ステップＵ２にて肯定判断）、ステップＵ５へ行き、購入したい商品が無い時には（ステップＵ２にて否定判断）、他のコンテンツ販売者ＡのＨＰ掲載商品を閲覧して（ステップＵ３）、購入したい商品の有無を確認し（ステップＵ４）、購入したい商品が無い場合には終了する（ステップＵ４にて否定判断）。そして、コンテンツ販売者ＡのＨＰ掲載商品に購入したい商品が有る時には（ステップＵ４にて肯定判断）、商品名と予約日、予約数量と合計金額、ユーザの購入者ＩＤと使用するプロバイダ名とプロバイダのHP_URL(ホームページのＵＲＬ)を、コンテンツ販売者Ａに通知して商品を予約し（ステップＵ５）、図８のステップＵ６に進む。
【００６２】
商品購入の予約の入ったコンテンツ販売者Ａは、予約商品の商品明細と予約者の購入者ＩＤ、および、コンテンツ販売者Ａ自身のコンテンツ販売者情報を、指定されたプロバイダに通知して（ステップＶＡ３）、図８のステップＶＡ４に進む。
【００６３】
プロバイダは、商品の予約通知が届くのを監視して（ステップＰ１）、予約通知が無ければステップＰ１に戻り、商品の予約通知が届いた時には（ステップＰ１にて肯定判断）、商品を予約した購入者ＩＤに該当するユーザの個人ＨＰに予約商品の商品明細を掲載し（ステップＰ２）、同時に、予約通知元のコンテンツ販売者情報を格納して販売業者を確認し（ステップＰ３）、図８のステップＰ４に進む。
【００６４】
商品を予約したユーザは、ユーザ各自の個人ＨＰ内の商品明細情報を閲覧して（ステップＵ６U６）、自分がインターネット上のコンテンツ販売者に予約した商品の掲載が有るかどうかを監視し（ステップＵ７）、予約した商品の掲載が無ければステップＵ６に戻り、予約した商品が掲載されている時は（ステップＵ７にて肯定判断）、その商品を本当に購入するのかどうか再度検討して（ステップＵ８）、購入の必要が無くなった時には（ステップＵ８にて否定判断）、ユーザ個人ＨＰ内の商品明細中の該当商品の”キャンセル”ボタンを押下して商品購入の予約取り消しを通知して（ステップＵ９）、終了する。一方、商品を購入する場合には（ステップＵ８にて肯定判断）、ユーザ個人ＨＰ内の商品明細中の該当商品の”商品購入”ボタンを押下して商品の購入を通知し（ステップＵ１０）、図９のステップＵ１１に進む。
【００６５】
プロバイダでは、予約商品の個人ＨＰ内への掲載後は、先ず、ユーザからの予約商品の予約取り消しを監視し（ステップＰ４）、予約が取り消された場合には（ステップＰ４にて肯定判断）、取り消された商品の予約通知元のコンテンツ販売者宛に予約取り消し商品の商品明細と購入者ＩＤを通知して予約の取り消しを通知し（ステップＰ６）、予約を取り消したユーザには予約取消確認メイルを送信して（ステップＰ７）、終了する。予約取り消し指示の無い場合には（ステップＰ４にて否定判断）、ユーザからの商品購入の通知を監視し（ステップＰ５）、商品購入通知の無い場合はステップＰ４に戻り、商品購入の通知があると（ステップＰ５にて肯定判断）、図９のステップＰ８に進む。
【００６６】
コンテンツ販売者Ａは、ユーザからの予約商品の予約取り消しを監視し（ステップＶＡ４）、予約が取り消された場合には（ステップＶＡ４にて肯定判断）、該当商品の商品明細と購入者ＩＤの予約情報を消去して（ステップＶＡVA５）、終了する。予約取り消し指示が無い場合は（ステップＶＡ４にて否定判断）、図９のステップＶＡ６に進む。
【００６７】
ユーザから商品購入通知を受けたプロバイダは、予約通知元のコンテンツ販売者宛に購入商品の商品明細と購入日（購入通知日）、および、購入者ＩＤを通知する（ステップＰ８）と同時に、購入ユーザ宛に予約商品の購入確認メイルを送信して（ステップＰ９）、コンテンツ販売者からの決済条件の通知を監視し（ステップＰ１０）、通知が無ければステップP１０に戻り、決済条件の通知が来た時は（ステップＰ１０にて肯定判断）、その条件で了解出来るかどうかを確認する（ステップＰ１１）。決済条件が了解出来ない場合には（ステップＰ１１にて否定判断）、プロバイダの希望する購入商品の決済方法をコンテンツ販売者に通知して（ステップＰ１２）、ステップＰ１０に戻ってコンテンツ販売者からの回答を待つ。決済条件に問題の無い場合には（ステップＰ１１にて肯定判断）、決済条件を了解した事をコンテンツ販売者に通知して（ステップＰ１３）、決済条件に関するコンテンツ販売者との相互確認の完了を待つ（ステップＰ１４）。確認完了が済んでいない場合にはステップＰ１４に戻り、決済条件の相互確認の完了が確認されれば図１０のステップＰ１５に進む。
【００６８】
コンテンツ販売者Ａは、プロバイダからの商品購入通知を監視し（図９のステップＶＡ６）、購入通知が無い場合には図８のステップＶＡ４に戻り、商品購入の通知が届いた場合は（ステップＶＡ６にて肯定判断）、コンテンツ販売者の希望する購入商品の決済方法をプロバイダに通知して（ステップＶＡ７）、プロバイダからの購入商品に関する決済条件を監視する（ステップＶＡ８）。ステップＶＡ８において、プロバイダからの購入商品の決済条件の通知が無い場合にはステップＶＡ８に戻り、購入商品の決済条件に関する通知が有る場合には、通知されたプロバイダの決済条件が了解出来るものかを確認して（ステップＶＡ９）、了解出来ない決済条件の場合にステップＶＡ７に戻り、決済条件に問題の無い場合には、購入商品の決済方法について確認完了した事をプロバイダに通知して（ステップＶＡ１０）、図１０のステップＶＡ１１に進む。
【００６９】
そして、図１０において、決済条件の相互確認の完了を確認したプロバイダは、了解された決済方法に従って商品の購入代金をコンテンツ販売者にユーザに代わって代行支払いして決済し（ステップＰ１５）、コンテンツ販売者からの購入商品の送付（納入）を監視する（ステップＰ１６）。商品がまだ納入されていない場合にはステップＰ１６に戻り、商品が納入されている場合は、商品の受領確認を販売元に通知すると共に、購入ユーザ個人ＨＰ内の商品明細中の該当商品の商品納入日に商品受領日を記載してユーザに通知し（ステップＰ１７）、ユーザの商品入手を監視する（ステップＰ１８）。ユーザの商品入手が済んでいない場合はステップＰ１８に戻り、ユーザが商品の入手を完了している時には、プロバイダ利用料金と一緒に商品の購入代金をユーザに請求する為に、個人ＨＰの商品明細の中の商品入手日を記載して（ステップＰ１９）終了し、後日、プロバイダ利用料金と一緒に商品代金を回収する。
【００７０】
コンテンツ販売者Ａは、プロバイダからの商品購入代金の入金を監視し（ステップＶＡ１１）、入金が無い場合にはステップＶＡ１１に戻って待ち、購入代金の入金が確認された時は、該当する商品をプロバイダ宛に送付（納入）すると共に、商品明細中の商品販売日として記載し（ステップＶＡ１２）、プロバイダからの商品の受領確認を監視して（ステップＶＡ１３）、受領通知が来ていない時はステップＶＡ１３に戻り、商品受領通知が届いた場合には、販売商品の納入完了確認をプロバイダに通知すると共に、商品明細中の商品納入日に記載して（ステップＶＡ１４）、終了する。
【００７１】
商品の購入を通知したユーザは、ユーザ個人ＨＰ内の商品明細を閲覧して購入商品の商品納入日を確認し（ステップＵ１１）、商品が納入されているかを確認して（ステップＵ１２）、まだ納入されていない場合にはステップＵ１１に戻り、商品が納入されている場合には、ユーザ個人ＨＰ内の商品明細から購入商品の”ダウンロード”ボタンを押下して商品を入手し（ステップＵ１３）、後日、プロバイダ利用料金と一緒に商品代金を支払う。
【００７２】
このようにすることにより、商品購入時に購入者であるユーザは、対象商品の購入予約を行い、その時、購入者の身元を保証する為のプロバイダ名と一緒に購入者ＩＤを通知する、というように構成されており、決済情報はコンテンツ販売者には通知しないため、個人情報の漏洩を防ぐ事ができる。また、プロバイダでは、予約明細と一緒に購入者ＩＤを受け取ると、予め事前登録されている購入者ＩＤに該当するプロバイダ加入ユーザの個人ＨＰ（ホームページ）内に予約明細情報を掲載する、というように構成されているため、同一や類似の商品を複数の販売元に予約して比較検討する事ができる。さらに、プロバイダと商品販売元との間で購入商品の代行決済処理を行い、プロバイダでは決済の完了した購入者毎の商品購入額をプロバイダ利用明細と共に積算し、プロバイダ使用料金の請求と一緒に商品購入金額の明細も請求して購入代金を回収する、というように構成されているため、商品購入代金の支払いを確実、簡便、かつ、安全に行う事ができる。
【産業上の利用可能性】
【００７３】
本発明は、ネットワークを介した商品販売に際して、決済を行うシステムとして利用でき、産業上の利用可能性を有する。
【図面の簡単な説明】
【００７４】
【図１】システムの全体的な構成を示すブロック図である。
【図２】プロバイダサーバ及びコンテンツ販売者サーバの構成を示す機能ブロック図である。
【図３】各コンピュータにて使用される情報を例示した図である。
【図４】ユーザホームページの一例を示す図である。
【図５】各コンピュータ間における情報の流れを示す説明図である。
【図６】システムの動作の概略を示すシーケンス図である。
【図７】システムの詳細な動作を示すシーケンス図である。
【図８】システムの詳細な動作を示すシーケンス図であり、図７の続きを示す。
【図９】システムの詳細な動作を示すシーケンス図であり、図８の続きを示す。
【図１０】システムの詳細な動作を示すシーケンス図であり、図９の続きを示す。
【符号の説明】
【００７５】
２０  ユーザ端末
１００  プロバイダサーバ（業者サーバ）
３００  コンテンツ販売者サーバ（商品販売サーバ）
【図１】
2006243962.tif 000003
【図２】
2006243962.tif 000004
【図３】
2006243962.tif 000005
【図４】
2006243962.tif 000006
【図５】
2006243962.tif 000007
【図６】
2006243962.tif 000008
【図７】
2006243962.tif 000009
【図８】
2006243962.tif 000010
【図９】
2006243962.tif 000011
【図１０】
2006243962.tif 000012